(57)【要約】【課題】様々な乳房の形状に応じた母乳パッドを安価に構成するともに、リラックス時における母乳パッド装着の違和感を解消することを課題とする。【解決手段】シート２を引き出し方向に沿って折りたたみ、シート２引出し方向の一方と他方とを一定の間隔を空けて略円弧状に切断し、切断部４の一部を閉じることにより、シートが折り返される折りたたみ部５と、折りたたみ部５と対向する部位で開口する開口部６と、折りたたみ部と開口部の左右両方に構成され、折りたたみ部と開口部とを接続する接着部４・４とを有する母乳パッドを構成する。【選択図】        図４
2004332178.tif 000002
【特許請求の範囲】
【請求項１】
シートを引き出し方向に沿って折りたたみ、シート引出し方向の一方と他方とを一定の間隔を空けて略円弧状に切断し、切断部の一部を閉じることにより母乳パッドを構成することを特徴とする母乳パッドの製造方法。
【請求項２】
シートが折り返される折りたたみ部と、折りたたみ部と対向する部位で開口する開口部と、折りたたみ部と開口部の左右両方に構成され、折りたたみ部と開口部とを接続する接着部とにより構成されることを特徴とする母乳パッド。
【発明の詳細な説明】
【０００１】
【発明の属する技術分野】
本発明は、乳児に母乳を与える者が、インナーシャツもしくはブラジャー等に装着して、乳首から漏出する余乳を吸収させるための母乳パッドであり、特に就寝時などのリラックス状態で装着される母乳パッドに関するものである。
【０００２】
【従来の技術】
従来、母乳パッドは、肌接触側の透水性シートと非肌接触側の不透水性シートとの間に吸水性物質を介在させて、これらを乳房状に形成したものが多い。これらは、主にブラジャーで肌に密着させて使用するもである。
【０００３】
そして、人それぞれに乳房の形状が異なることから、複雑な立体形状によりより乳房にフィットした母乳パッドが求められてきた。
そこで、母乳パッドを使用者の乳房にフィットさせるために、吸収材料を円形に裁断すると共に円形の一部又は全周部に絞りを形成し、乳房にフィットさせることを目的としている。
そこで、略三角形状で、外周縁からパッド本体の中心方向に向けスリットを切断し、任意の角度で相互に重合係着させることにより保型パッドを形成し、保型パッドの裏側に使い捨てパッドを着脱自在するものが知られている。これは、使用者が乳房の形状にあわせて自由に変形させてるものである（例えば、特許文献１を参照）。
【０００４】
【特許文献１】
特開２００２−１９４６０３号
【０００５】
【発明が解決しようとする課題】
しかし、このような母乳パッドは大掛かりなものであり、実際に乳房の形状に合わせることは、育児で疲労している者にとっては負担に感じられる場合もある。
さらに、外出する用事がない日や、自宅においてリラックスする場合においては、乳房にフィットする母乳パッドよりも、乳房に対してゆったりとした母乳パッド、もしくは乳房より大き目の母乳パッドによりパッドのズレを気にすることなく装着できるものが望まれている。
特に、就寝時においては、従来の母乳パッドでは乳房へのフィットを目的としているため、乳房よりずれた場合には乳頭より漏れ出る母乳を十分に吸収し難いものであり、夜用の母乳パッドとしては不適切なものである。さらに、就寝時においては母乳パッドの取り替えまでの時間が長くなるため、母乳を多く吸収するものが望まれる。
すなわち、軽量であり、薄く、就寝時の乳房の変形にも対応し、母乳の吸収量の多い母乳パッドであり、製造に係る費用が少ないものが望まれるものである。
【０００６】
【課題を解決するための手段】
上記の課題を解決すべく、本発明は次のような手段を用いる。
請求項１に記載のごとく、シートを引き出し方向に沿って折りたたみ、シート引出し方向の一方と他方とを一定の間隔を空けて略円弧状に切断し、切断部の一部を閉じることにより母乳パッドを構成する。
【０００７】
請求項２に記載のごとく、シートが折り返される折りたたみ部と、折りたたみ部と対向する部位で開口する開口部と、折りたたみ部と開口部の左右両方に構成され、折りたたみ部と開口部とを接続する接着部とにより、母乳パッドを構成する。
【０００８】
【発明の実施の形態】
［第一実施例］  次に、本発明の実施の形態について図を用いて説明する。
図１は母乳パッドの装着状態を示す図である。
図１に示すごとく、母乳パッド１は個々の乳房に装着されるものである。母乳パッド１は略お椀型をしており、乳房を覆う状態で装着されるものである。望ましくは、母乳パッド１は乳房より大きく構成され、乳房に対してゆったりとした装着感をあたえるものである。母乳パッド１は乳房に対してルーズフィットした状態となるので、母乳パッド１が乳房に対して位置がずれても乳房が母乳パッド１で覆われる。これにより、乳首が母乳パッド１よりはみ出して母乳が衣服に付着するのを防止する。
また、母乳パッド１を乳房に対して横長のお椀形状とすることにより、就寝時における母乳パッドのズレに関係なく、母乳を母乳パッド１により吸収することが可能となる。
【０００９】
次に、母乳パッド１の製造方法について説明する。
母乳パッド１はシートを引き出し方向に沿って折りたたみ、シート引出し方向の一方と他方とを一定の間隔を空けて略円弧状に切断し、切断部の一部を閉じることにより構成される。そして、引き出したシートを折りたたんで、端を一致させる。折りたたまれたシートを、側面視において平坦部を有する半円状もしくは楕円形状に切断する。さらに、切断部の一部もしくは全部を接着することにより母乳パッドを製造するものである。
【００１０】
図２は母乳パッドの製造工程の一例を示す模式図である。
母乳パッド１はシート２を切断成形し、縁部を接着することにより構成されるものである。まず、図２に示すごとく、シート２を引き出し方向に沿って、半分に折りたたむ。そして、折りたたんだ状態のシート２を、切断接着装置３により、略扇状に切断し、切断により円弧状に構成された縁部を接着するものである。
母乳パッド１において、折りたたんだ部分が先端部となり、切断前のシート２の縁部が乳房の根元部分に当接する部位となる。折りたたんだ部位よりシート２の縁部にかけて接着を行うことにより、カップ状の母乳パッドを構成するものである。このように、シート２から容易に母乳パッド１を構成できるものである。
【００１１】
図３は母乳パッド成形過程を示す図、図３（ａ）は引き出されたシートを示す図、図３（ｂ）は半分に折りたたまれたシートを示す図、図３（ｃ）は切断成形されたシートを示す図、図３（ｄ）は母乳パッドを示す図である。
図３（ａ）に示すごとく、シート２が取出される。図３（ｂ）に示すごとく、シート２は引き出し方向に沿って折られ、図３（ｃ）に示すごとく、折られた状態で母乳パッド形状に切断される。そして、図３（ｄ）に示すごとく、母乳パッド１が構成される。
【００１２】
母乳パッドは、図３（ｃ）に示すごとく、切断された後に切断により構成される縁部を接着されるものである。なお、シートの縁部を切断と同時に接着して、母乳パッド１を構成することも可能である。
このように、シート２を折りたたみ、切断し、縁部を一定幅で接着することにより、容易に母乳パッド１を構成することができるものである。シート２を二つ折りにして構成することにより、シート２の切断部分の長さを短く構成できるとともに、接着部分の長さも短くできる。これにより、成形の品質を向上し、接着に係るエネルギーもしくは接着剤の量を低減できる。
そして、シート２を切断する形状を変更することにより、容易に母乳パッド１のサイズを調節することが可能となるものである。このため、様々なサイズの母乳パッド１を容易に、且つ速く、しかも安価に製造することが出来るものである。例えば、シート２を切断する間隔を変更することにより、容易に母乳パッドの幅を調節可能となる。
【００１３】
次に、母乳パッド１の構成について、図４を用いて説明する。
母乳パッド１は、シートが折り返される折りたたみ部と、折りたたみ部と対向する部位で開口する開口部と、折りたたみ部と開口部の左右両方に構成され、折りたたみ部と開口部とを接続する接着部とにより構成される。開口部はシートを折りたたむ際に側部を合わせた部分である。そして、母乳パッド１の左右側部に外に凸の接着部を構成するものである。
【００１４】
図４はシートより成形された母乳パッド１の側面図である。
母乳パッド１はシート２の折り返し部により構成される先端部５、先端部５と反対側に構成される縁部６、そして、先端部５と縁部６との間に構成される接着部４とにより構成される。
図４に示すごとく、母乳パッド１は略扇形状に構成されている。図４において、母乳パッド１の先端部５はシート２の折り返し部により構成されるものであり、先端部５の左右上側部には接着部４・４が構成されている。接着部４は母乳パッド１の側部を閉じるものであり、２枚重ねと成った縁部６をひろげることにより、母乳パッド１を、おわん状、ドーム状に構成できる。
先端部５はシート２により接続部や折り目なく構成されるので、乳房の乳首が当接する場合に、刺激を与えにくく構成されるものである。また、乳房の基部には接着部の無い縁部６の内側面が当接するので、乳房に与える刺激が少ない。さらに、接着部４は柔らかく構成されたシート２の内側面同士を向かい合わせて接着するので、乳房側に接着した部位の突出が無く乳房に与える刺激を少なくできる。
【００１５】
次に、図５を用いて、母乳パッドの広げ方について説明する。
図５は母乳パッドのひろげ方を示す模式図である。
母乳パッド１は図５（ａ）に示すごとく、縁部６・６同士を閉じた状態となっている。この母乳パッド１の縁部６を開き、図５（ｂ）に示すごとく、母乳パッド１を略円錐形状に構成する。そして、先端部５を内側へ押し込むことにより、図５（ｃ）に示すごとく、母乳パッド１をお椀型もしくはカップ形状に構成することができるものである。
図５（ｃ）に示すごとく、先端部５を内側に押し込み、先端部５を平たく構成することができるものであり、接着部４と先端部５との境界部分においては、母乳パッド１が外側に折れ込んだ状態となり、母乳パッド１の内側には突出部が形成されない。これにより、母乳パッド１の装着により乳房に与える刺激を最小限に抑制することができるものである。
【００１６】
次に、母乳パッドを構成するシートの構成について説明する。
図６はシートの構成を示す断面図である。
母乳パッド１を構成するシート２は、図６に示すごとく、２層構造となっている。外側は、フィルム層１１により構成され、フィルム層１１は防水フィルムもしくは湿透性防水フィルムにより構成される。フィルムの例をあげると、ポリエチレンフィルム、ポリエステルフィルム等を用いることができる。内側は、吸水性の高い素材により構成された吸水層１２により構成されている。吸水層１２を構成するものとしては、不織布や親水性の多孔性素材より、母乳の吸収性や保持性、肌触りにより適宜選択することができるものである。例えば、綿繊維の不織布を用いることにより、やわらかい肌触りと母乳の吸収保持能とを両立できる。
【００１７】
母乳パッド１を構成するシート２は、フィルム層１１と吸水層１２とが接着され、一体的に構成されたものを利用することも可能であり、母乳パッド１の縁を切断接着する際に、フィルム層１１と吸水層１２とを構成するそれぞれのシート状部材を接着して構成することも可能である。
本実施例においては、シート２はフィルム層１１と吸水層１２とが一体的に構成されており、吸水層１２に接着剤が分散されている。これにより、シート２を切断するとともに、端部を容易に接着することができるものである。接着の方法には、超音波接着や溶着など様々なものを用いることが可能である。特に、超音波接着を用いることにより、内面である吸水層１２の肌触りを変えることなく、母乳パッドを構成することが出来るものである。
【００１８】
シート２を２層構造とすることにより、シート２により構成された母乳パッド１に高い柔軟性をもたせることが可能であるとともに、軽く構成して使用時の違和感を大きく低減できる。そして、高いコストパフォーマンスを実現することができ、安価にかつ短時間に製造可能となるものである。
なお、シートの端部を切断し、接着することが可能であれば、シートの層を多層構造とすることも可能である。例えば、シートを３層構造とし、外面を防水フィルムにより構成し、内面をポリエチレン等により形成した不織布により構成し、その間に吸水性ポリマーなどの吸水剤を保持することも可能である。
【００１９】
［第二実施例］
次に、母乳パッドの第二実施例について説明する。
図７は第二実施例である母乳パッドの構成過程を示す図である。
第二実施例である母乳パッドの構成例について、図７を用いて説明する。まず、図７（ａ）に示すごとく、シート２を引き出し、図７（ｂ）に示すごとく、シート２において吸水層が内側になるようにシート２を側部を一致させるように折りたたむ。さらに、図７（ｃ）に示すごとく、折り込んだ部分をさらに反対側に折り込む。すなわち、外面側より山折りとなった部分を谷折りにする。図７（ｃ）においてはシート２の下部が断面視Ｗ字状に折られるものである。シート２はこの状態のまま、図７（ｄ）に示すごとく、切断接着されて、図７（ｅ）に示すごとく、母乳パッド２１が構成されるものである。この状態において、母乳パッド２１の先端部１５はシート２が４重となっている。これにより、母乳パッド２１は４重の先端部と、左右の円弧状の接着部と、平坦な開口部とにより構成されるものである。
【００２０】
次に、第二実施例である母乳パッド２１の構成について説明する。
図８は第二実施例である母乳パッドの側面図である。
母乳パッド２１はシート２の折り返し部により構成される先端部１５、先端部１５と反対側に構成される縁部６、そして、先端部５と縁部６との間に構成される接着部４とにより構成される。
図８に示すごとく、母乳パッド２１は略扇形状に構成されている。母乳パッド２１の先端部１５はシート２の折り返し部により構成されるものであり、先端部１５の左右上側部には接着部４・４が構成されている。接着部４は母乳パッド２１の側部を閉じるものである。そして、２枚重ねと成った縁部６をひろげることにより、母乳パッド２１を、おわん状もしくはドーム状に構成できる。
【００２１】
先端部１５は、シート２を２回折り返すことにより構成されるものであり、シート２により接続部や折目なく構成される。このため、先端部１５の内側には突出部が無く、乳房の乳首が母乳パッド２１の内側に当接する場合に、刺激を与えにくく構成されるものである。また、乳房の基部には接着部の無い縁部６の内側面が当接するので、乳房に与える刺激が少ない。さらに、接着部４は柔らかく構成されたシート２の内側面同士を向かい合わせて接着するので、乳房側に接着した部位の突出が無く乳房に与える刺激を少なくできる。
【００２２】
次に、図９を用いて、第二実施例である母乳パッドの広げ方について説明する。
図９は第二実施例である母乳パッドのひろげ方を示す模式図である。
母乳パッド２１は図９（ａ）に示すごとく、縁部６・６同士を閉じた状態となっている。この母乳パッド２１の縁部６を開き、先端部１５を外側へ押し出すことにより、図９（ｂ）に示すごとく、母乳パッド２１をお椀型もしくはカップ形状に構成することができるものである。
【００２３】
図９（ｂ）に示すごとく、２回折り返した先端部１５を外側に押し出し、先端部１５を平たく構成することにより、先端部１５内側において、簡便に立体的であるとともに滑らかな曲線をえがくことができ、乳首への刺激の少ない、乳房にやさしい母乳パッド２１を構成できるものである。
また、接着部４と先端部５との境界部分においては、母乳パッド２１の内側より見た場合に、シート２が外側に折れ込んだ状態となり、母乳パッド１の内側には突出部が形成されない。これにより、母乳パッド１の装着により乳房に与える刺激を最小限に抑制することができるものである。
【００２４】
次に、図１０を用いて、広げた状態の第二実施例について説明する。
図１０は広げた状態の母乳パッドを示す図、図１０（ａ）は乳房に装着した状態を示す母乳パッドの側面断面図、図１０（ｂ）は広げた状態の母乳パッドの正面図である。
母乳パッド２１は広げた状態において、図１０に示すごとく、先端部１５が平らに構成されるとともに、母乳パッド２１の側部を構成する傾斜部１６と滑らかに接続している。このため、乳房の乳首が母乳パッド２１内において、突出部に接触することがない。さらに、母乳パッド２１を横長に構成するとともに、先端部１５も横方向に長く構成することにより、母乳パッドが対応可能な乳房形状に幅をもたせることができる。そして、乳房の位置がずれた場合によいても、乳首が先端部１５の近傍に位置することとなり、装着者が違和感を感じにくく、乳首をやさしく覆うことができる。
【００２５】
次に、母乳パッドに位置保持手段を取付けた構成について説明する。
図１１は位置保持手段を設けた母乳パッドの構成を示す図である。図１１（ａ）は母乳パッドの側面図、図１１（ｂ）は同じく正面図である。
母乳パッド２１に位置保持手段として粘着テープ２２を装着した構成について説明する。母乳パッド２１の正面下部には、粘着テープ２２が貼り付けられており、この粘着テープにより母乳パッド２１をＴシャツもしくはブラジャー等の下着に取付けるものである。
母乳パッド２１の未使用状態において、粘着テープ２２の表面にはシールが貼られており、粘着テープ２２の粘着を阻止している。使用時には、シールを取り除き、粘着テープ２２により母乳パッド２１を下着などに貼り付けるものである。これにより、母乳パッド２１の下着に対する位置を保持させることができ、母乳パッド２１により乳房を覆うことが出来るものである。
位置保持手段としては、粘着テープの他に面ファスナーやクリップなどを用いて、下着などに対して位置を保持可能なものであればよい。
【００２６】
［第三実施例］
次に、母乳パッドの第三実施例について説明する。
図１２は第三実施例である母乳パッドの構成を示す斜視図である。
第三実施例において、母乳パッド３１は二つの乳房を１つの母乳パッドにより覆うように構成されたものである。母乳パッド３１の横幅は、ほぼ肩幅程度となっており、１つの母乳パッド３１により二つの乳房もしくは、二つの乳首を覆うことが可能となっている。
母乳パッド３１の構成方法としては、上記の第一もしくは第二実施例において示した製造工程において、接着するは端部間の間隔を長くすることにより、容易に構成できるものである。
第三実施例に示すごとく、母乳パッド３１を構成することにより、母乳を吸収する面積を大きくし、母乳の吸収性能および保持性能を向上させるとともに、乳房をゆったりと覆うことができる。
【００２７】
［第四実施例］
次に、第四実施例について、図１３および図１４を用いて説明する。
図１３は第四実施例の製造過程を示す模式図、図１４は第四実施例である母乳パッドの広げ方を示す模式図である。
第四実施例においては、シート２の両側部を引き出し方向に沿って折りたたみ一定間隔で切断し、端部の２枚重ねになった部分を接着することにより、母乳パッド４２を構成するものである。
まず、シート２を引き出し、延出方向に沿って、図１３（ａ）に示すごとく、左右両端部を同一方向に折り込む。そして、シート２を折りたたんだ状態で一定間隔で切断する。切断形状は、本実施例においては図１３（ｂ）に示すごとく、端部の切断形状を一定の間隔をおいて互いに向かいあう円弧状にする。この他にも広げた状態で、乳房を包み込むことの可能な形状であればよい。そして、折りたたんだシート２を切断することにより、図１３（ｃ）に示すごとく、母乳パッド４２が構成される。母乳パッド４２において、折りたたまれて２重に構成した部位の端部を切断部に沿って接着し、接着部４１を構成する。これにより、母乳パッド４１には２つの袋状部分を有する構成となるものである。
このように、構成された母乳パッド４２を、図１４（ａ）に示すごとく、中央部を折り返された部分のある方から押し広げることにより、図１４（ｂ）に示すごとく、母乳パッドを略お椀状に構成することができるものである。
【００２８】
本発明においては、シート状部材を折りたたみ、シート状部材の一部を切り出すとともに、端部の一部を接着などによりとじることで、母乳パッドを構成するものである。このような製造方法において、シート状部材の折り方もしくは切断間隔および切断形状を調節することにより、容易にかつ迅速に様々な母乳パッドを構成することができるものである。これにより、様々な母乳の形状に対応した母乳パッドを安価に製造可能である。
さらに、薄いシートを利用して、母乳パッドを構成することにより、リラックス状態において使用しても違和感を低減できる。このため、就寝時において装着しても、違和感が少ない。また、寝返りなどにより母乳パッドが下敷きとなった場合においても、母乳パッドが薄いシート材により構成されるので、違和感を感じにくいものである。
【００２９】
【発明の効果】
請求項１に記載のごとく、シートを引き出し方向に沿って折りたたみ、シート引出し方向の一方と他方とを一定の間隔を空けて略円弧状に切断し、切断部の一部を閉じることにより母乳パッドを構成するので、母乳パッドを容易に製造可能であり、様々な乳房形状に応じた母乳パッドを容易に構成することができる。
【００３０】
請求項２に記載のごとく、シートが折り返される折りたたみ部と、折りたたみ部と対向する部位で開口する開口部と、折りたたみ部と開口部の左右両方に構成され、折りたたみ部と開口部とを接続する接着部とにより、母乳パッドを構成するので、単純な構成により母乳パッドを構成できる。広げる前の状態においてコンパクトであり、携帯や持ち運びに便利な母乳パッドを構成できる。シートを薄く構成することにより、母乳パッドをフレキシブルに構成でき、母乳への追従性を向上させ、母乳パッドのずれを防止できる。また、母乳パッドを軽量に構成できるので、リラックス時や就寝時に装着しても違和感を感じにくい。
【図面の簡単な説明】
【図１】母乳パッドの装着状態を示す図。
【図２】母乳パッドの製造工程の一例を示す模式図。
【図３】母乳パッド成形過程を示す図。
【図４】シートより成形された母乳パッド１の側面図。
【図５】母乳パッドのひろげ方を示す模式図。
【図６】シートの構成を示す断面図。
【図７】第二実施例である母乳パッドの構成過程を示す図。
【図８】第二実施例である母乳パッドの側面図。
【図９】第二実施例である母乳パッドのひろげ方を示す模式図。
【図１０】広げた状態の母乳パッドを示す図。
【図１１】位置保持手段を設けた母乳パッドの構成を示す図。
【図１２】第三実施例である母乳パッドの構成を示す斜視図。
【図１３】第四実施例の製造過程を示す模式図。
【図１４】第四実施例である母乳パッドの広げ方を示す模式図。
【符号の説明】
１  母乳パッド
２  シート
３  切断接着装置
４  接着部５
５  先端部
６  縁部
【図１】
2004332178.tif 000003
【図２】
2004332178.tif 000004
【図３】
2004332178.tif 000005
【図４】
2004332178.tif 000006
【図５】
2004332178.tif 000007
【図６】
2004332178.tif 000008
【図７】
2004332178.tif 000009
【図８】
2004332178.tif 000010
【図９】
2004332178.tif 000011
【図１０】
2004332178.tif 000012
【図１１】
2004332178.tif 000013
【図１２】
2004332178.tif 000014
【図１３】
2004332178.tif 000015
【図１４】
2004332178.tif 000016